(57)【要約】【課題】収納容器の内部の写真と収納容器を識別するための識別情報とを一致させることができる収納物品管理システム及び収納物品管理システムに用いる表示片を提供する。【解決手段】収納容器２を識別可能な識別情報を表示でき、収納容器２に取付け可能な表示片１０と、表示片１０の識別情報を撮影する撮影装置９と、識別情報と収納容器２の内部の画像とが紐付けられて保存される管理装置３と、を備え、管理装置３は、撮影装置９にて撮影された識別情報画像に対応する収納容器の内部の画像を割り出す。【選択図】図１
2019191663.tif 000002
【特許請求の範囲】
【請求項１】
収納容器を識別可能な識別情報を表示でき、前記収納容器に取付け可能な表示片と、前記表示片の識別情報を撮影する撮影装置と、前記識別情報と前記収納容器の内部の画像とが紐付けられて保存される管理装置と、を備え、
前記管理装置は、前記撮影装置にて撮影された識別情報画像に対応する前記収納容器の内部の画像を割り出すことを特徴とする収納物品管理システム。
【請求項２】
前記表示片は、前記識別情報を表示可能な表示領域と位置情報を示す複数のタグ表示とを備え、前記管理装置は、前記撮影装置で撮影された画像内における複数の前記タグ表示の位置情報を用いて、前記画像内における前記表示領域に表示された前記識別情報画像を判別することを特徴とする請求項１に記載の収納物品管理システム。
【請求項３】
前記撮影装置は、前記管理装置に対して通信し、固有のログインＩＤを前記管理装置に送信可能となっており、前記管理装置は、前記撮影装置から受信した前記ログインＩＤに対応して保存された識別情報画像と、前記撮影装置で撮影された識別情報画像とを照会して、当該識別情報に対応する前記収納容器の内部の画像を割り出すことを特徴とする請求項１または２に記載の収納物品管理システム。
【請求項４】
前記管理装置には、前記識別情報画像が複数のグループに分類されて保存されており、前記管理装置は、前記撮影装置で撮影された前記識別情報画像内における特定の表示に基づき、当該画像内における識別情報画像がいずれのグループに分類されているかを判定する分類判定手段を備えていることを特徴とする請求項１ないし３のいずれかに記載の収納物品管理システム。
【請求項５】
識別情報を記載可能な表示面を備えるとともに、該表示面の裏面に粘着層を備えていることを特徴とする表示片。
【請求項６】
前記表示片は、前記識別情報を記載可能な領域を取り囲むように、位置情報を示す複数のタグ表示が印刷されていることを特徴とする請求項５に記載の表示片。
【発明の詳細な説明】
【技術分野】
【０００１】
本発明は、収納容器の内部に収納された物品を管理する際に用いられる収納物品管理システム及び収納物品管理システムに用いる表示片に関する。
【背景技術】
【０００２】
従来、物品の整理には収納容器が用いられ、これら収納容器は複数個積み重ねる等してまとめて保管されている。収納容器の利用者は、収納容器の表面に物品に関する情報を記載する等して、収納容器同士を識別するようにしているが、収納容器の内部に収納された物品に関する情報を全て正確に記載することは困難かつ煩雑な作業であった。
【０００３】
そこで、収納容器の内部をカメラにて撮影しておき、撮影された画像を確認することで、どの収納容器に所望の物品が収納されているかを検索することが一般に行われている（例えば特許文献１）。例えば、収納容器の内部をカメラで撮影するとともに、各収納容器を判別できる数字や文字などの識別情報を収納容器自体に記載しておき、当該撮影した写真のファイル名を識別情報とすることで、撮影された写真と当該写真のファイル名とを確認して、どの収納容器に所望の物品が収納されているかを検索することができる。
【先行技術文献】
【特許文献】
【０００４】
【特許文献１】特開２００６−１０３８５２号公報（第４頁、第１図）
【発明の概要】
【発明が解決しようとする課題】
【０００５】
しかしながら、このような検索方法にあっては、例えば、収納容器に記載した識別情報の誤記や撮影した写真のファイル名の誤記等の人為的なミスがあった場合には、収納容器の内部の写真と、収納容器を識別するための識別情報とが一致せず、所望の物品の収納された収納容器を探し出せないという問題が発生する虞があった。
【０００６】
本発明は、このような問題点に着目してなされたもので、収納容器の内部の写真と収納容器を識別するための識別情報とを一致させることができる収納物品管理システム及び収納物品管理システムに用いる表示片を提供することを目的とする。
【課題を解決するための手段】
【０００７】
前記課題を解決するために、本発明の収納物品管理システムは、
収納容器を識別可能な識別情報を表示でき、前記収納容器に取付け可能な表示片と、前記表示片の識別情報を撮影する撮影装置と、前記識別情報と前記収納容器の内部の画像とが紐付けられて保存される管理装置と、を備え、
前記管理装置は、前記撮影装置にて撮影された識別情報画像に対応する前記収納容器の内部の画像を割り出すことを特徴としている。
この特徴によれば、識別情報を表示させた表示片を収納容器に取り付けておき、この識別情報を撮影することで、管理装置において識別情報に対応する収納容器の内部の画像を割り出すことができるため、収納容器を開封せずとも収納容器の内部を確認することができる。また、管理装置では、撮影された識別情報画像を用いて収納容器の内部の画像を割り出すことから、例えば人為的なミスで識別情報として用いた文字の羅列に重複するものがあった場合であっても、確実に識別情報に対応する収納容器の内部の画像を割り出すことができる。
【０００８】
前記表示片は、前記識別情報を表示可能な表示領域と位置情報を示す複数のタグ表示とを備え、前記管理装置は、前記撮影装置で撮影された画像内における複数の前記タグ表示の位置情報を用いて、前記画像内における前記表示領域に表示された前記識別情報画像を判別することを特徴としている。
この特徴によれば、管理装置は複数のタグ表示の位置情報から、表示領域の正確な範囲を割り出すことができるため、簡単な構成で識別情報画像の識別精度を確保できる。
【０００９】
前記撮影装置は、前記管理装置に対して通信し、固有のログインＩＤを前記管理装置に送信可能となっており、前記管理装置は、前記撮影装置から受信した前記ログインＩＤに対応して保存された識別情報画像と、前記撮影装置で撮影された識別情報画像とを照会して、当該識別情報に対応する前記収納容器の内部の画像を割り出すことを特徴としている。
この特徴によれば、ログインＩＤを用いることで、複数の撮影装置や複数人で、同じ識別情報と収納容器の内部の画像との対応関係を利用することができ、利便性に優れる。
【００１０】
前記管理装置には、前記識別情報画像が複数のグループに分類されて保存されており、前記管理装置は、前記撮影装置で撮影された前記識別情報画像内における特定の表示に基づき、当該画像内における識別情報画像がいずれのグループに分類されているかを判定する分類判定手段を備えていることを特徴としている。
この特徴によれば、分類判別手段により、通信端末で撮影された識別情報画像と照会される識別情報画像の数を絞り込むことができる。
【００１１】
前記課題を解決するために、本発明の収納物品管理システムに用いる表示片は、
識別情報を記載可能な表示面を備えるとともに、該表示面の裏面に粘着層を備えていることを特徴としている。
この特徴によれば、粘着層により様々な収納容器に対して表示片を取付けることができる。
【００１２】
前記表示片は、前記識別情報を記載可能な領域を取り囲むように、位置情報を示す複数のタグ表示が印刷されていることを特徴としている。
この特徴によれば、複数のタグ表示の位置情報から記載可能な領域を割り出すことで、簡単な構成で識別情報画像の識別精度を確保できる。
【図面の簡単な説明】
【００１３】
【図１】本発明の実施例１における収納物品管理システムを示す概念図である。
【図２】実施例１におけるアプリケーションのトップ画面を示す図である。
【図３】収納容器内を撮影する撮影画面を示す図である。
【図４】名称登録表示を示す図である。
【図５】表示シールの識別情報画像を登録する際の撮影画面を示す図である。
【図６】実施例１における表示シールを示す図である。
【図７】表示シールを登録する際の撮影画面におけるターゲット表示を説明する図である。
【図８】表示シールの識別情報画像を照会する際の撮影画面を示す図である。
【図９】識別情報対応テーブルを示すイメージ図である。
【図１０】表示シールの識別情報画像が照会され、対応する収納容器画像が表示された状態の撮影画面を示す図である。
【図１１】本発明の実施例２における収納物品管理システムを示す概念図である。
【図１２】アプリケーションのログイン画面を示す図である。
【図１３】ＩＤ対応テーブルを示すイメージ図である。
【図１４】実施例３におけるアプリケーションのトップ画面を示す図である。
【図１５】実施例３における表示シールを示す図である。
【図１６】変形例１における表示シールを示す図である。
【図１７】変形例２における表示シールの識別情報画像を照会する際の撮影画面を示す図である。
【図１８】変形例３における表示シールの識別情報画像を照会する際の逆引き撮影画面を示す図である。
【発明を実施するための形態】
【００１４】
本発明に係る収納物品管理システム及び収納物品管理システムに用いる表示片を実施するための形態を実施例に基づいて以下に説明する。
【実施例１】
【００１５】
実施例１に係る収納物品管理システム及び収納物品管理システムに用いる表示片につき、図１〜図１０を参照して説明する。
【００１６】
図１に示されるように、本実施例における収納物品管理システム１は、収納容器２の内部を撮影し、この収納容器２の内部の画像と識別情報とを対応付けて保存しておき、識別情報に基づき収納容器２の内部の画像を読み出し、収納容器２を開封せずとも収納容器２の内部の様子を把握できるようにするシステムである。
【００１７】
図１に示される符号９は、撮影が可能な撮影手段９ａと、表示手段９ｂ、演算装置９ｃ、記憶媒体９ｄ等を備えた撮影装置と管理装置としての機能を兼ねるスマートフォンであり、後述する表示シール１０とともに収納物品管理システム１を構成している。尚、撮影装置とは、画像の撮影と画像の表示が可能な端末を指し、カメラと当該カメラと接続可能なパーソナルコンピュータ等で構成されてもよい。スマートフォン９の記憶媒体９ｄには、識別情報画像データベース５と、収納容器内画像データベース６と、識別情報対応テーブル８とが記憶されている。
【００１８】
スマートフォン９には、収納物品管理システム１を利用するための専用のアプリケーションがインストールされており、アプリケーションを用いることで、表示シール１０の撮影や、収納容器内画像データベース６に保存された収納容器２内の画像を確認することができる。
【００１９】
収納容器２には、収納容器を識別可能な識別情報を表示することができる表示シール（標示片）１０が貼着されている。尚、表示シール１０は利用者が任意の場所に貼着できる。
【００２０】
続いて、収納容器２内の画像を管理サーバ３に保存する手順を図２から図９を用いて説明する。先ず、スマートフォン９にてアプリケーションを起動する。アプリケーションを起動すると、収納容器内画像データベース６に保存された収納容器内画像が図２に示されるトップ画面１５が一覧表示される。
【００２１】
トップ画面１５には、収納容器登録ボタン１７と、収納容器確認ボタン１８とが表示されている。
【００２２】
アプリケーションは、収納容器登録ボタン１７が選択されると、図３に示される撮影画面１９を表示する。撮影画面１９では、シャッターボタン２０とガイド表示２１とが表示される。利用者はガイド表示２１に従い、スマートフォン９を略水平に保持して収納容器２を真上から撮影する。ガイド表示２１は所定時間で非表示としてもよいし、所定のボタンの操作により非表示となるようにしてもよい。
【００２３】
撮影画面１９には、スマートフォン９の有するカメラ機能にて撮影される画像が表示される。シャッターボタン２０が選択されることで、スマートフォン９のカメラ機能により収納容器２内が撮影される。
【００２４】
撮影が完了すると、図４に示されるように、撮影された収納容器内画像に付する名称を入力する入力欄２３を備えた名称登録表示２２が表示される。入力欄２３に名称を入力し、保存ボタン２４が選択されると、入力欄２３に入力された名称が、重複していないか確認され、重複していない場合、収納容器内画像を収納容器内画像データベース６に保存し、当該収納容器内画像の保存場所と、名称と、を保持する。
【００２５】
続いて、アプリケーションは次のステップに移り、スマートフォン９には、識別情報を撮影する撮影画面２５が表示される（図５参照）。
【００２６】
図６に示されるように、表示シール１０は、平面視で略矩形状に形成され、表示面１０ａの四隅にタグ表示３０Ａ〜３０Ｄが印刷されており、裏面に図示しない粘着層を備えている。
【００２７】
タグ表示３０Ａ〜３０Ｄは、それぞれ異なる模様を備えた矩形状であり、それぞれが異なる情報を示すタグとなっており、タグ表示３０Ａ〜３０Ｄに取り囲まれた部分が識別情報を記載可能な表示領域３１となっている。図６ではタグ表示３０Ａは表示領域３１の左上端部を規定し、タグ表示３０Ｂは表示領域３１の右上端部を規定し、タグ表示３０Ｃは表示領域３１の左下端部を規定し、タグ表示３０Ｄは表示領域３１の右下端部を規定している。表示領域３１には、手書きにて識別情報を記載可能である（図６では「書類１」と記載されている）。手書きの場合、厳密に一致する図案はほぼ無いといえ、固有の識別情報として利用可能である。尚、手書きに代えて、特徴ある形状のシールを表示領域３１に貼着してもよく、この場合も貼着されたシールの角度や位置が厳密に再現されることはほぼ無いといえ、固有の識別情報として利用可能である。更に尚、表示領域３１にはプリンタ等を用いて特徴ある画像を印刷することで、この画像を識別情報として利用してもよい。
【００２８】
図５に示されるように、撮影画面２５の中央部にはターゲット表示３３Ａ〜３３Ｄが表示される。図５から図７に示されるように、ターゲット表示３３Ａ〜３３Ｄは、所定間隔で離間する４つの環状の表示であり、ターゲット表示３３Ａと３３Ｃ及びターゲット表示３３Ｂと３３Ｄの離間距離と、ターゲット表示３３Ａと３３Ｂ及びターゲット表示３３Ｃと３３Ｄの離間距離との縦横比は、表示シール１０のタグ表示３０Ａと３０Ｃ及びタグ表示３０Ｂと３０Ｄの離間距離と、タグ表示３０Ａと３０Ｂ及びタグ表示３０Ｃと３０Ｄの離間距離との縦横比と略同じとなっている。
【００２９】
図７に示されるように、アプリケーションは、撮影画面２５のターゲット表示３３Ａ〜３３Ｄと表示シール１０のタグ表示３０Ａ〜３０Ｄとが重なると、これらターゲット表示３３Ａ〜３３Ｄを繋ぐライン３４を表示する。そして、これらライン３４，３４，…の表示の内側、即ち表示領域３１を識別情報画像として扱う。また、ライン３４，３４，…が表示されたことで、利用者はタグ表示３０Ａ〜３０Ｄが正常に読み取られたことを確認できる。
【００３０】
アプリケーションは、識別情報画像の撮像が完了すると、当該識別情報画像を固有の特定情報を付して識別情報画像データベース５に保存し、図９に示される識別情報対応テーブル８にて、当該識別情報画像の特定情報と、保持しておいた収納容器内画像の保存場所と名称とを対応付けて記憶する。
【００３１】
続いて、収納容器２内の画像を確認する手順を図８から図１０を用いて説明する。収納容器２内の画像を確認する際、利用者はトップ画面１５にて収納容器確認ボタン１８を選択する。
【００３２】
アプリケーションは、収納容器確認ボタン１８が選択されると、図８に示される撮影画面２７を表示する。撮影画面２７の中央部にはターゲット表示３３Ａ〜３３Ｄが表示される。
【００３３】
アプリケーションは、撮影画面２７のターゲット表示３３Ａ〜３３Ｄと表示シール１０のタグ表示３０Ａ〜３０Ｄとが重なると、これらターゲット表示３３Ａ〜３３Ｄを繋ぐライン３４を表示する（図７参照）。そして、これらライン３４，３４，…の表示の内側、即ち表示領域３１を識別情報画像として読み取る。
【００３４】
アプリケーションは、識別情報画像を読み取ると、識別情報画像データベース５に保存された識別情報画像と、読み取られた識別情報画像とを比較する。そして、該当する識別情報画像を発見した場合、この識別情報画像に付された特定情報を識別情報対応テーブル８（図９参照）にて照会し、当該特定情報に対応付けられた収納容器内画像の保存場所を割り出す。
【００３５】
アプリケーションは、割り出された保存場所から収納容器内画像を読み出し、図１０に示されるように、スマートフォン９の撮影画面２７におけるターゲット表示３３Ａ〜３３Ｄの下方に収納容器内画像３５を表示する。収納容器内画像３５はサムネイル表示であり、ここでは図示しないが、収納容器内画像３５が選択されることで登録時に撮影された収納容器内画像の元画像が拡大操作可能に表示される。
【００３６】
このように、識別情報を表示させた表示シール１０を収納容器に取り付けておき、この識別情報を撮影することで、識別情報に対応する収納容器内画像を割り出すことができるため、収納容器２を開封せずとも収納容器２の内部を確認することができる。また、収納物品管理システム１では、撮影された識別情報画像を用いて収納容器内画像を割り出すことから、例えば人為的なミスで識別情報として用いた文字の羅列に重複するものがあった場合であっても、確実に識別情報に対応する収納容器内画像を割り出すことができる。
【００３７】
また、表示シールに印刷された複数のタグ表示３０Ａ〜３０Ｄの位置情報から、表示領域３１の正確な範囲を割り出すことができるため、簡単な構成で識別情報画像の高い識別精度を確保できる。
【００３８】
また、表示シール１０は識別情報を記載可能な表示面１０ａの裏面に粘着層を備えているため、粘着層により様々な収納容器に対して取付けることができる。例えば、実施例で示した箱状の収納容器に限らず、収納棚の各引出しを収納容器とした場合、引出しの正面に表示シール１０を貼り付け、この引出し内の画像を管理サーバ３に照会可能に保存してもよい。
【００３９】
また、収納容器２内の画像を確認する際の撮影画面２７では、タグ表示３０Ａ〜３０Ｄとターゲット表示３３Ａ〜３３Ｄとが重なり、識別情報画像が判別された段階で、自動的に収納容器内画像が表示されるため、シャッターボタン等を指で操作する手間が省け、このシャッターボタンの選択時における写真のブレが発生しないことから、識別情報画像を鮮明に撮影でき、高い識別精度を確保できる。
【００４０】
また、図では詳述しないが、トップ画面１５にサムネイル１６として表示された収納容器内画像を選択すると、収納容器内画像が拡大表示されるとともに、対応する識別情報画像が表示されるようになっており、利用者は収納容器内画像を確認して、所望の物品が収納されている収納容器内画像を探し出し、当該収納容器内画像に対応する識別情報画像が貼着されている収納容器を目視にて探し出すという、所謂逆引きも可能である。
【実施例２】
【００４１】
次に、実施例２に係る収納物品管理システムにつき、図１１から図１３を参照して説明する。尚、前記実施例に示される構成部分と同一構成部分については同一符号を付して重複する説明を省略する。
【００４２】
管理サーバ３は、収納物品管理システム１のサービス提供者が管理するサーバであり、インターネットに接続されており、ＩＤデータベース４と、識別情報画像データベース５と、収納容器内画像データベース６と、ＩＤ対応テーブル７と、識別情報対応テーブル８とを備えている。
【００４３】
スマートフォン９は、撮影が可能な撮影手段と、演算装置と、インターネットを介して管理サーバ３に接続可能な通信手段を備えており、アプリケーションがインストールされている。
【００４４】
アプリケーションを起動すると、図１２に示されるログイン画面１１が表示される。ログイン画面１１には、利用者の登録時に付与された固有のＩＤを入力するＩＤ入力欄１２と、利用者の登録時に登録したパスワードを入力するパスワード入力欄１３と、ログインボタン１４とが表示される。
【００４５】
ＩＤ入力欄１２にＩＤが、パスワード入力欄１３にパスワードが、それぞれ入力された状態でログインボタン１４が選択されると、これらＩＤとパスワードとが管理サーバ３に送信される。
【００４６】
ＩＤ対応テーブル７では、図１３に示されるイメージ図のように、ＩＤと、収納容器内画像データベース６における各ＩＤに対応する収納容器内画像が保存されている保存場所のリンクと、収納容器内画像に付された名称とが対応付けられている。
【００４７】
管理サーバ３は、ＩＤとパスワードとを図示しない確認手段により適合しているか否かを判定し、適合していた場合、ＩＤに対応する収納容器内画像データベース６に保存された収納容器内画像を図２に示されるトップ画面１５に一覧表示させる。また、管理サーバ３は、ＩＤとパスワードとの適合が判定された時点で、ＩＤ対応テーブル７にて当該ＩＤを検索し、対応する収納容器内画像の保存場所をそれぞれ割り出し、トップ画面１５にサムネイル１６として表示する。
【００４８】
トップ画面１５にて収納容器登録ボタン１７を選択した場合、スマートフォン９で撮影された収納容器内画像は、入力欄２３（図４参照）に入力された名称と、ログインしているＩＤとともに管理サーバ３に送信される。
【００４９】
管理サーバ３は、入力欄２３に入力された名称がＩＤ対応テーブル７で重複していないか確認し、重複していない場合、収納容器内画像を収納容器内画像データベース６に保存し、当該収納容器内画像の保存場所と、名称と、を利用者のＩＤに対応付けてＩＤ対応テーブル７に記憶する。
【００５０】
また、収納容器２内の画像を確認する場合には、管理サーバ３は、識別情報画像をスマートフォン９から受け取ると、利用者のＩＤに対応付けられた複数の識別情報画像を識別情報画像データベース５から一時的に取り出し、これら取りだした識別情報画像と読み取られた識別情報画像とを比較し、該当する識別情報画像を発見した場合、この識別情報画像に付された特定情報を識別情報対応テーブル８（図９参照）にて照会し、当該特定情報に対応付けられた収納容器内画像の保存場所を割り出す。そして、対応する収納容器内画像をスマートフォン９の撮影画面２７におけるターゲット表示３３Ａ〜３３Ｄの下方に表示する（図１０参照）。
【００５１】
このように、収納物品管理システム１を構成する識別情報画像データベース５と、収納容器内画像データベース６と、ＩＤ対応テーブル７と、識別情報対応テーブル８とをインターネット上の管理サーバ３に保存しておき、ログインＩＤを用いることで、当該ログインＩＤとパスワードを知る複数人で、同じ識別情報と収納容器の内部の画像との対応関係を利用することができ、利便性に優れる。また、複数の撮影装置であるスマートフォン９を利用できるため、仮にスマートフォンが故障しても収納物品管理システム１を利用でき、更に他者に引き継ぎを行うこともできる。
【００５２】
また、管理サーバ３は受信したログインＩＤにより、スマートフォン９で撮影された識別情報画像と照会される識別情報画像の数を絞り込むため、画像照会処理における負荷を軽減でき、照会速度を高速化することができる。
【実施例３】
【００５３】
次に、実施例３に係る収納物品管理システムにつき、図１４から図１６を参照して説明する。尚、前記実施例に示される構成部分と同一構成部分については同一符号を付して重複する説明を省略する。
【００５４】
図１４は、収納物品管理システムのトップ画面４５であり、ＩＤに対応する収納容器内画像のサムネイル４６が、西暦（年）により大まかにグループとして分類され、更に月により更に細かいグループに分類されて表示されている。この分類は、識別情報対応テーブル８にて同様に、対応する識別情報画像のグループ分けに利用されている。
【００５５】
この西暦や月についての分類項目は、収納容器内画像の登録時に利用者が収納容器内画像にタグ付けして設定できるようになっている。また、図１５に示されるように、表示シール１０の表示領域３１の識別情報に、符号４７で示す西暦（２０１８）と月（３）を続けて追記しておく。
【００５６】
管理サーバ３は、収納容器２の内部を確認する処理において、表示領域３１を撮影した画像を受信すると、この画像を画像処理して、所謂ＯＣＲの技術により西暦（２０１８）と月（３）とを認識し、西暦が「２０１８」かつ月が「３」であるグループ内の識別情報画像と、撮影された識別情報画像とを照会する（分類判定手段）。つまり、スマートフォン９で撮影された画像内の特定の表示に基づき、識別情報画像の照会を進める前に、予め照会される識別情報画像の数を絞り込むことができ、照会にかかる処理の負荷を軽減すると共に、照会速度を高速化することができる。
【００５７】
尚、予め照会される識別情報画像の数を絞り込むための、スマートフォン９で撮影された画像内の特定の表示としては、記載する文字情報に限らず、例えば特定の形状の図形、例えば変形例１を示す図１６にて符号４７’で示されるスペード等の形状のシールを表示領域３１に貼着させる等し、シールの形状によって識別情報画像を複数のグループに分類してもよい。
【００５８】
以上、本発明の実施例を図面により説明してきたが、具体的な構成はこの実施例に限られるものではなく、本発明の要旨を逸脱しない範囲における変更や追加があっても本発明に含まれる。
【００５９】
例えば、前記実施例において、識別情報画像に対応付けられた収納容器内画像は一枚で説明したが、これに限らず、登録時には複数の収納容器内画像を識別情報画像に対応付けられる構成でもよい。
【００６０】
また、識別情報画像に対応付けられた収納容器内画像は、撮影し直して更新することを可能としてもよい。これによれば、収納容器２への物品の出し入れに応じて収納容器内画像を更新でき、収納容器２内の物品の様子を最新状態とすることができる。
【００６１】
また、表示シール１０は、例えばＡ４の台紙に複数配置され、一枚のシールシートを構成してもよい。これによれば、プリンタ等を用いてシールシート単位で複数の表示シールにまとめて記載が可能であるため、複数の表示シールを一度に確認しながら記載を行えるため、人為的なミスを防止できる。更に、前述した予め照会される識別情報画像の数を絞り込むための特定の表示をプリンタにより印刷することができ、特定情報を鮮明に表示して管理サーバ３での画像処理の精度を確保できる。
【００６２】
表示領域３１には、筆記具を用いた記載に限らず、印刷やスタンプ、シールの押下等で自由に識別情報を表示可能であることは言うまでもない。
【００６３】
また、図１７の変形例２のように、収納容器２内の画像を確認する際の撮影画面４８には、ターゲット表示を４つ有して構成されるターゲット表示セット４９が、複数表示されるようにし、撮影する画角に収まる範囲で、一度に複数の表示シール１０の識別情報画像を撮影し、それぞれ照会できるようにしてもよい。
【００６４】
また、前記実施例において逆引きの際には、収納容器内画像に対応する識別情報画像が貼着されている収納容器を目視にて探し出す態様で説明したが、これに限らず、例えば図１８の変形例３のように、トップ画面１５にサムネイル１６として表示された収納容器内画像を選択すると逆引き撮影画面５０が表示されるようにしてもよい。
【００６５】
逆引き撮影画面５０には、ターゲット表示３３Ａ〜３３Ｄと、選択した収納容器内画像のサムネイル５１と、収納容器内画像に対応する識別情報画像のサムネイル５２と、スマートフォン９のカメラ機能により撮影された撮影画面５３が表示されており、この逆引き撮影画面５０を起動した状態でスマートフォン９を表示シール１０に向け、該当する識別情報が表示された表示シールが正常に照会された際には、適合表示５４が表示され、利用者に該当する表示シールの発見を報知することができる。これは、識別情報の判別が困難である場合に特に有効である。尚、報知は適合表示５４に限らず、例えば音による報知であってもよい。
【００６６】
また、前述の逆引き撮影画面５０においても、一度に複数の表示シール１０の識別情報画像を照会できるようにしてもよい。
【００６７】
また、識別情報と収納容器内とを同時に撮影し、撮影された画像の中から識別情報画像を切り出して識別情報画像データベース５に保存する構成としてもよい。尚、この撮影時には、アプリケーションが表示シール１０のタグ表示３０Ａ〜３０Ｄを読み込んだ時点で自動的に撮影されるようにして、シャッターボタンを省略してもよい。
【００６８】
また、収納容器内画像を登録する際には、前記実施例で説明したように収納容器の中に収納物を入れた状態で撮影してもいいし、収納容器の外に広げて撮影してもよい。特に収納容器の外に広げて撮影を行うことで、例えばＣＤや書籍などは、表表紙側を撮影することで利用者が判別し易い。
【００６９】
また、ターゲット表示３３Ａ〜３３Ｄは、表示シール１０のタグ表示３０Ａ〜３０Ｄを認識していない状態では、撮影画面２５や撮影画面２７内に表示されないようにし、タグ表示３０Ａ〜３０Ｄを全て認識した時点でライン３４とともに表示される構成としてもよい。これによれば、前記実施例のように利用者がターゲット表示３３Ａ〜３３Ｄとタグ表示３０Ａ〜３０Ｄとを重ねる手間を省略することができる。
【００７０】
また、アプリケーションまたは管理サーバ３は、収納容器内画像から収納物を識別し、収納物毎に自動的に画像を切り分けて識別情報にそれぞれ対応させてもよい。更に、予め収納物毎の画像に名前を登録しておけば、名前を検索する等して当該収納物が収納された収納容器及び対応する識別情報画像を発見できる。また、アプリケーションまたは管理サーバ３に、収納物毎の画像同士を比較して同じ収納物を識別できる機能を追加することで、当該収納物が収納されている複数の収納容器を割り出し可能としてもよいし、当該収納物の数を総計して表示可能として、在庫管理にも利用できるようにしてもよい。
【符号の説明】
【００７１】
１                収納物品管理システム
２                収納容器
３                管理サーバ（管理装置）
４                ＩＤデータベース
５                識別情報画像データベース
６                収納容器内画像データベース
７                ＩＤ対応テーブル
８                識別情報対応テーブル
９                スマートフォン（撮影装置・管理装置）
９ａ              撮影手段
９ｂ              表示手段
９ｃ              演算装置
９ｄ              記憶媒体
１０              表示シール
１０ａ            表示面
１１              ログイン画面
１５              トップ画面
１６              サムネイル
１７              収納容器登録ボタン
１８              収納容器確認ボタン
１９              撮影画面
２２              名称登録表示
２５              撮影画面
２７              撮影画面
３０Ａ〜３０Ｄ    タグ表示
３１              表示領域
３３Ａ〜３３Ｄ    ターゲット表示
３５              収納容器内画像
４５              トップ画面
４８              撮影画面
４９              ダーゲット表示セット
５０              逆引き撮影画面
５４              適合表示
【図１】
2019191663.tif 000003
【図２】
2019191663.tif 000004
【図３】
2019191663.tif 000005
【図４】
2019191663.tif 000006
【図５】
2019191663.tif 000007
【図６】
2019191663.tif 000008
【図７】
2019191663.tif 000009
【図８】
2019191663.tif 000010
【図９】
2019191663.tif 000011
【図１０】
2019191663.tif 000012
【図１１】
2019191663.tif 000013
【図１２】
2019191663.tif 000014
【図１３】
2019191663.tif 000015
【図１４】
2019191663.tif 000016
【図１５】
2019191663.tif 000017
【図１６】
2019191663.tif 000018
【図１７】
2019191663.tif 000019
【図１８】
2019191663.tif 000020